(57)【要約】【課題】無線通信チャネルのスロットフォーマットを処理するにあたって、回路規模の増大を防ぐこと。消費電力の増大を防ぐこと。発熱量の増大を防ぐことを図ること。【解決手段】所定のＤＰＣＨスロットフォーマットの各フィールドのうち、Ｆ−ＤＰＣＨスロットフォーマットの未使用フィールドに対応するフィールドのデータをマスクすることにより、３ＧＰＰのリリース６で追加されたＦ−ＤＰＣＨスロットフォーマットをＤＰＣＨスロットフォーマット処理装置で処理する。また、所定のＤＰＣＨスロットフォーマットの一部のフィールドのデータをマスクし、異なるオフセットを付加することにより、３ＧＰＰのリリース７で拡張されたＦ−ＤＰＣＨスロットフォーマットをＤＰＣＨスロットフォーマット処理装置で処理する。【選択図】図６
2010074613.tif 000002
【特許請求の範囲】
【請求項１】
複数の個別チャネルのスロットフォーマットのフィールド情報を有するテーブルと、
チャネル種別が移動局宛ての送信電力制御情報のみを送信するチャネルであるときに、該移動局宛ての送信電力制御情報のみを送信するチャネルのスロットフォーマット番号に基づいて前記テーブルから選択された所定の個別チャネルのスロットフォーマットの各フィールドのうち、前記移動局宛ての送信電力制御情報のみを送信するチャネルのスロットフォーマットの未使用フィールドに対応するデータをマスクするマスク部と、
を備えることを特徴とする無線通信装置。
【請求項２】
前記マスク部は、マスク対象フィールドのデータに送信電力を割り当てないことを特徴とする請求項１に記載の無線通信装置。
【請求項３】
前記テーブルから選択された所定の前記個別チャネルのスロットフォーマットにオフセットを付加する付加部、
をさらに備えることを特徴とする請求項１または２に記載の無線通信装置。
【請求項４】
前記テーブルは、前記個別チャネルのスロットフォーマットのフィールド情報として、処理速度およびフィールド情報に基づいてグループ化された個別チャネルのスロットフォーマットグループのフィールド情報を有し、
前記個別チャネルのスロットフォーマットを、その処理速度およびフィールド情報に基づいて前記個別チャネルのスロットフォーマットグループに変換する個別チャネル変換部、
をさらに備えることを特徴とする請求項１〜３のいずれか一つに記載の無線通信装置。
【請求項５】
前記テーブルは、１６チップ単位で前記フィールド情報を有することを特徴とする請求項１〜４のいずれか一つに記載の無線通信装置。
【請求項６】
チャネル種別が移動局宛ての送信電力制御情報のみを送信するチャネルであるときに、該移動局宛ての送信電力制御情報のみを送信するチャネルのスロットフォーマット番号に基づいて所定の個別チャネルのスロットフォーマットのフィールド情報を選択する第１ステップと、
前記第１ステップで選択された前記フィールド情報の各フィールドのうち、前記移動局宛ての送信電力制御情報のみを送信するチャネルのスロットフォーマットの未使用フィールドに対応するデータをマスクする第２ステップと、
を含むことを特徴とする無線通信方法。
【発明の詳細な説明】
【技術分野】
【０００１】
この発明は、無線通信チャネルのスロットフォーマットを処理する無線通信装置および無線通信方法に関する。
【背景技術】
【０００２】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）通信における高速閉ループパワー制御に関し、次のような技術が知られている。局が少なくとも１つのユーザと通信するダウンリンク通信チャネルからなるパケットスイッチ通信システムが提供され、このダウンリンク通信チャネルは、複数のフレームへと分割される。各フレームは複数のデータパケットを備え、各データパケットは、所定のユーザに送られ、そのユーザの伝送パワー制御情報を備える。そして、各フレームにおける少なくとも１のデータパケットがこの通信システムの少なくとも１の他のユーザの伝送パワー制御情報を備える（例えば、特許文献１参照）。
【０００３】
【特許文献１】特開２０００−９１９８７号公報
【発明の開示】
【発明が解決しようとする課題】
【０００４】
ところで、３ＧＰＰ（３ｒｄ  Ｇｅｎｅｒａｔｉｏｎ  Ｐａｒｔｎｅｒｓｈｉｐ  Ｐｒｏｊｅｃｔ、第３世代移動体通信システムの標準化プロジェクト）では、そのリリース６において、拡散率ＳＦ（Ｓｐｒｅａｄｉｎｇ  Ｆａｃｔｏｒ）が２５６でＴＰＣ（送信電力制御、Ｔｒａｎｓｍｉｓｓｉｏｎ  Ｐｏｗｅｒ  Ｃｏｎｔｒｏｌ）ビットのみを送信するＦ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ）という新しいスロットフォーマットが規定されている。また、リリース７において、Ｆ−ＤＰＣＨは、ＴＰＣビットの送信タイミングが異なる１０個のスロットフォーマットを持つように拡張されており、最大で１０個のユーザ端末（ＵＥ：Ｕｓｅｒ  Ｅｑｕｉｐｍｅｎｔ）に対して同じコードでＴＰＣビットを多重送信することができるようになっている。従来技術では、リリース６やリリース７に対応するためには、Ｆ−ＤＰＣＨのスロットフォーマットを処理する専用の回路が必要となるため、回路規模の増大、消費電力の増大および発熱量の増大などの種々の不都合を招くという問題点がある。
【０００５】
この無線通信装置および無線通信方法は、回路規模の増大を防ぐことを目的とする。また、この無線通信装置および無線通信方法は、消費電力の増大を防ぐことを目的とする。さらに、この無線通信装置および無線通信方法は、発熱量の増大を防ぐことを目的とする。
【課題を解決するための手段】
【０００６】
この無線通信装置および無線通信方法は、移動局宛ての送信電力制御情報のみを送信するチャネルのスロットフォーマットを処理する際に、所定の個別チャネルのスロットフォーマットのフィールド情報を選択し、そのフィールド情報の各フィールドのうち、前記移動局宛ての送信電力制御情報のみを送信するチャネルのスロットフォーマットの未使用フィールドに対応するデータをマスクする。
【０００７】
従って、個別チャネルのスロットフォーマットを処理する装置で、移動局宛ての送信電力制御情報のみを送信するチャネルのスロットフォーマットを処理することができるので、個別チャネルのスロットフォーマットを処理する装置と移動局宛ての送信電力制御情報のみを送信するチャネルのスロットフォーマットを処理する装置を別々に設けずに済む。
【発明の効果】
【０００８】
この無線通信装置および無線通信方法によれば、個別チャネルのスロットフォーマットと移動局宛ての送信電力制御情報のみを送信するチャネルのスロットフォーマットを同じ装置で処理することができるので、それらを別々に設ける場合と比べて、回路規模の増大を防ぐことができる。また、回路規模の増大を防ぐことによって、消費電力の増大や発熱量の増大を防ぐことができる。
【発明を実施するための最良の形態】
【０００９】
以下に添付図面を参照して、この無線通信装置および無線通信方法の好適な実施の形態を詳細に説明する。
【００１０】
（概略）
実施の形態にかかる無線通信装置および無線通信方法は、所定の個別チャネルであるＤＰＣＨ（Ｄｅｄｉｃａｔｅｄ  Ｐｈｙｓｉｃａｌ  Ｃｈａｎｎｅｌ）スロットフォーマットの各フィールドのうち、Ｆ−ＤＰＣＨスロットフォーマットの未使用フィールドに対応するフィールドのデータをマスクすることにより、３ＧＰＰのリリース６で追加されたＦ−ＤＰＣＨスロットフォーマットをＤＰＣＨスロットフォーマット処理装置で処理するものである。また、所定のＤＰＣＨスロットフォーマットの一部のフィールドのデータをマスクし、異なるオフセットを付加することにより、３ＧＰＰのリリース７で拡張されたＦ−ＤＰＣＨスロットフォーマットをＤＰＣＨスロットフォーマット処理装置で処理するものである。
【００１１】
図１は、ＤＰＣＨスロットフォーマットを示す説明図である。図１に示すように、ＤＰＣＨは、１無線フレーム（Ｔf＝１０ｍｓ）において、１５スロット（Ｓｌｏｔ）に分割されている。各スロットは、Ｄａｔａ１フィールド、ＴＰＣフィールド、ＴＦＣＩフィールド、Ｄａｔａ２フィールドおよびＰｉｌｏｔフィールドを含んでいる。ただし、Ｄａｔａ１フィールドまたはＴＦＣＩフィールドがないこともある。図１において、括弧内に示されたＮdata1、ＮTPC、ＮTFCI、Ｎdata2およびＮpilotは、各フィールドのビット数である。
【００１２】
図２および図３は、ＤＰＣＨスロットフォーマットのフィールド情報の一覧を示す説明図である。図２に示すように、例えば、スロットフォーマット番号が２であるＤＰＣＨスロットフォーマットの場合、最初の２ビットがＤａｔａ１フィールドであり、その後の２ビットがＴＰＣフィールドであり、その後の１４ビットがＤａｔａ２フィールドであり、その後の２ビットがＰｉｌｏｔフィールドとなる２０ビットのフレームである。ＴＦＣＩフィールドはない。以下、スロットフォーマット番号がｉであるスロットフォーマットをスロットフォーマット＃ｉと表記する。同様に、後述するスロットフォーマットグループの番号がｉである場合、スロットフォーマットグループ＃ｉと表記する。
【００１３】
図４は、Ｆ−ＤＰＣＨスロットフォーマットを示す説明図である。Ｆ−ＤＰＣＨスロットフォーマットは、３ＧＰＰのリリース６で追加されたフォーマットである。図４に示すように、Ｆ−ＤＰＣＨは、１無線フレーム（Ｔf＝１０ｍｓ）において、１５スロットに分割されている。各スロットは、ＮTPCビットのＴＰＣフィールドのみを有する。ＴＰＣフィールドの前のＮOFF1ビットおよびＴＰＣフィールドの後のＮOFF2ビットは、データを送信しないビットである。図４において、括弧で括られたＴｘＯＦＦは、データを送信しないことを表している。
【００１４】
図５は、Ｆ−ＤＰＣＨスロットフォーマットのフィールド情報の一覧を示す説明図である。図５に示すように、例えば、Ｆ−ＤＰＣＨスロットフォーマット＃０の場合は、最初の２ビットはＴｘＯＦＦであり、その後の２ビットがＴＰＣフィールドであり、その後の１６ビットがＴｘＯＦＦとなる２０ビットのフレームである。
【００１５】
図６は、ＤＰＣＨスロットフォーマット＃２とＦ−ＤＰＣＨスロットフォーマット＃０との比較を示す説明図である。図６に示すように、ＤＰＣＨスロットフォーマット＃２とＦ−ＤＰＣＨスロットフォーマット＃０とでは、ＴＰＣビットの位置が同じである。従って、ＤＰＣＨスロットフォーマット＃２を用いて、Ｄａｔａ１フィールド、Ｄａｔａ２フィールドおよびＰｉｌｏｔフィールドの各データがユーザ端末で受信されないようにすれば、Ｆ−ＤＰＣＨスロットフォーマット＃０を用いてデータを送信することを実現することができる。ここで、これらのフィールドのデータがユーザ端末で受信されないようにするには、これらのフィールドのデータをオフにする、すなわち送信しないようにするか、またはこれらのフィールドのデータを送信する際の送信電力を割り当てないようにすればよい。
【００１６】
図７は、３ＧＰＰのリリース７において拡張されたＦ−ＤＰＣＨスロットフォーマットを示す説明図である。図７に示すように、スロットフォーマット＃０〜＃９では、ＴＰＣビットの送信位置のみが異なる。従って、ＤＰＣＨスロットフォーマット＃２を用い、適当なオフセットを付加して、Ｄａｔａ１フィールド、Ｄａｔａ２フィールドおよびＰｉｌｏｔフィールドの各データがユーザ端末で受信されないようにすれば、スロットフォーマット＃０だけでなく、スロットフォーマット＃１〜＃９についても、それぞれデータの送信を実現することができる。
【００１７】
図８は、ＤＰＣＨスロットフォーマット＃２にオフセットを付加したスロットフォーマットを示す説明図である。図７および図８に示すように、ＤＰＣＨスロットフォーマット＃２に、オフセットとして２５６チップ、５１２チップ、７６８チップ、１０２４チップ、１２８０チップ、１５３６チップ、１７９２チップ、２０４８チップまたは２３０４チップを付加することにより、それぞれのＴＰＣビットの送信位置が、Ｆ−ＤＰＣＨのスロットフォーマット＃１、スロットフォーマット＃２、スロットフォーマット＃３、スロットフォーマット＃４、スロットフォーマット＃５、スロットフォーマット＃６、スロットフォーマット＃７、スロットフォーマット＃８またはスロットフォーマット＃９のＴＰＣビットの送信位置と同じになる。
【００１８】
図９は、ＤＰＣＨスロットフォーマットグループを示す説明図である。図２および図３に示すように、ＤＰＣＨスロットフォーマットにおいて、各フィールドのチップ数が全く同じになるスロットフォーマットが存在する。例えば、ＤＰＣＨのスロットフォーマット＃２およびスロットフォーマット＃２Ａでは、拡散率ＳＦが２５６であり、Ｎdata1、Ｎdata2、ＮTPC、ＮTFCIおよびＮpilotがそれぞれ２ビット／スロット、１４ビット／スロット、２ビット／スロット、０ビット／スロットおよび２ビット／スロットである。従って、Ｄａｔａ１フィールド、Ｄａｔａ２フィールド、ＴＰＣフィールド、ＴＦＣＩフィールドおよびＰｉｌｏｔフィールドの各チップ数は、それぞれ２５６、１７９２、２５６、０および２５６となる。また、スロットフォーマット＃２Ｂでは、拡散率ＳＦが１２８であり、Ｎdata1、Ｎdata2、ＮTPC、ＮTFCIおよびＮpilotがそれぞれ４ビット／スロット、２８ビット／スロット、４ビット／スロット、０ビット／スロットおよび４ビット／スロットであるので、Ｄａｔａ１フィールド、Ｄａｔａ２フィールド、ＴＰＣフィールド、ＴＦＣＩフィールドおよびＰｉｌｏｔフィールドの各チップ数は、それぞれ２５６、１７９２、２５６、０および２５６となる。従って、ＤＰＣＨのこれら３つのスロットフォーマット＃２、＃２Ａおよび＃２Ｂは、各フィールドのチップ数が全く同じであるので、同一のグループに属する。このような観点から、全てのＤＰＣＨスロットフォーマットをグループ化したものが図９に示す表である。図９に示すように、ＤＰＣＨスロットフォーマットを処理する際のスロットフォーマットの種類が４９種類から２５種類に削減される。ただし、スロットフォーマット＃１２Ｂは、４倍の処理速度で処理される。それ以外のＢのつくスロットフォーマット、並びに１２および１４Ａのスロットフォーマットは、２倍の処理速度で処理される。
【００１９】
図１０は、基地局から移動局への下り方向の共通チャネルであるＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）のスロットフォーマットを示す説明図である。図１０に示すように、Ｓ−ＣＣＰＣＨは、１無線フレーム（Ｔf＝１０ｍｓ）において、１５スロット（Ｓｌｏｔ）に分割されている。各スロットは、ＴＦＣＩフィールド、ＤａｔａフィールドおよびＰｉｌｏｔフィールドを含んでいる。ただし、ＴＦＣＩフィールドまたはＰｉｌｏｔフィールドがないこともある。Ｄａｔａフィールドのビット数をＮdata1とする。
【００２０】
図１１は、Ｓ−ＣＣＰＣＨスロットフォーマットのフィールド情報の一覧を示す説明図である。図１１に示すように、Ｓ−ＣＣＰＣＨスロットフォーマットにおいて、各フィールドのチップ数が全く同じになるスロットフォーマットが存在する。例えば、Ｓ−ＣＣＰＣＨのスロットフォーマット＃６では、拡散率ＳＦが１２８であり、Ｎdata1、ＮpilotおよびＮTFCIがそれぞれ３８ビット／スロット、０ビット／スロットおよび２ビット／スロットである。従って、Ｄａｔａフィールド、ＰｉｌｏｔフィールドおよびＴＦＣＩフィールドの各チップ数は、それぞれ２４３２、０および１２８となる。また、スロットフォーマット＃１０では、拡散率ＳＦが３２であり、Ｎdata1、ＮpilotおよびＮTFCIがそれぞれ１５２ビット／スロット、０ビット／スロットおよび８ビット／スロットであるので、Ｄａｔａフィールド、ＰｉｌｏｔフィールドおよびＴＦＣＩフィールドの各チップ数は、それぞれ２４３２、０および１２８となる。さらに、スロットフォーマット＃１９では、拡散率ＳＦが１２８であり、Ｎdata1、ＮpilotおよびＮTFCIがそれぞれ７６ビット／スロット、０ビット／スロットおよび４ビット／スロットである。スロットフォーマット＃１９は、１６ＱＡＭ変調時に使用されるので、Ｄａｔａフィールド、ＰｉｌｏｔフィールドおよびＴＦＣＩフィールドの各チップ数は、それぞれ２４３２、０および１２８となる。従って、Ｓ−ＣＣＰＣＨのこれら３つのスロットフォーマット＃６、＃１０および＃１９は、各フィールドのチップ数が全く同じであるので、同一のグループに属する。このような観点から、全てのＳ−ＣＣＰＣＨスロットフォーマットをグループ化したものが図１２に示す表である。ただし、スロットフォーマット＃４は、２倍の処理速度で処理される。８、１０および２０のスロットフォーマットは、４倍の処理速度で処理される。
【００２１】
図１２は、Ｓ−ＣＣＰＣＨスロットフォーマットグループを示す説明図である。図１２に示すように、Ｓ−ＣＣＰＣＨスロットフォーマットを処理する際のスロットフォーマットの種類が２４種類から１８種類に削減される。このＳ−ＣＣＰＣＨスロットフォーマットグループの処理、および上述したＤＰＣＨスロットフォーマットグループ処理は、グループ化されたスロットフォーマットで処理速度を統一することによって実現可能である。
【００２２】
ここで、ＱＰＳＫ変調時の各フィールドのチップ数は、次の（１）式から求められる。また、１６ＱＡＭ変調時の各フィールドのチップ数は、次の（２）式から求められる。
チップ数＝（ＳＦ値）×（各フィールドのビット／スロット値）／２  ・・・（１）
チップ数＝（ＳＦ値）×（各フィールドのビット／スロット値）／４  ・・・（２）
【００２３】
図１３は、ＳＦ４またはＳＦ８のＤＰＣＨスロットフォーマットのチップ数を示す説明図である。図１４は、ＳＦ４またはＳＦ８のＳ−ＣＣＰＣＨスロットフォーマットのチップ数を示す説明図である。図２および図３に示すＤＰＣＨスロットフォーマット、並びに図１１に示すＳ−ＣＣＰＣＨスロットフォーマットにおいて、拡散率ＳＦが１６〜５１２であるスロットフォーマットは、各フィールドのデータ長が１６チップの倍数である。また、図１３または図１４に示すように、ＤＰＣＨスロットフォーマットまたはＳ−ＣＣＰＣＨスロットフォーマットにおいて、拡散率ＳＦが４または８である場合でも、各フィールドのデータ長は１６チップの倍数となる。従って、ＤＰＣＨスロットフォーマットまたはＳ−ＣＣＰＣＨスロットフォーマットを１６チップ単位で処理することができる。
【００２４】
（実施の形態１）
図１５は、実施の形態１にかかる無線通信装置の構成を示す説明図である。図１５に示すように、無線通信装置は、スロットフォーマット処理装置１を備えている。スロットフォーマット処理装置１は、フィールド情報出力部２、入力データ振り分け部３、マスク部４、付加部５、加算部６およびオフセット量選択部７を備えている。
【００２５】
フィールド情報出力部２は、チャネル種別がＦ−ＤＰＣＨである場合、ＤＰＣＨスロットフォーマットグループ＃３（図９参照）のフィールド情報を出力する。その理由は、Ｆ−ＤＰＣＨスロットフォーマット＃０の代わりに用いられるＤＰＣＨスロットフォーマット＃２がＤＰＣＨスロットフォーマットグループ＃３に属するからである。また、フィールド情報出力部２は、チャネル種別がＤＰＣＨである場合、スロットフォーマット番号に基づいて、そのスロットフォーマット番号が属するＤＰＣＨスロットフォーマットグループ（図９参照）のフィールド情報を出力する。また、フィールド情報出力部２は、チャネル種別がＳ−ＣＣＰＣＨである場合、スロットフォーマット番号に基づいて、そのスロットフォーマット番号が属するＳ−ＣＣＰＣＨスロットフォーマットグループ（図１２参照）のフィールド情報を出力する。さらに、フィールド情報出力部２は、チャネル種別がＦ−ＤＰＣＨ、ＤＰＣＨおよびＳ−ＣＣＰＣＨのいずれでもない場合、チャネル種別とスロットフォーマット番号に応じたスロットフォーマットのフィールド情報を出力する。
【００２６】
入力データ振り分け部３は、チャネル種別に基づいて、入力データがＦ−ＤＰＣＨのデータであるか否かを判断する。入力データ振り分け部３は、Ｆ−ＤＰＣＨの入力データである場合には、その入力データをマスク部４へ送る。入力データ振り分け部３は、Ｆ−ＤＰＣＨ以外の入力データである場合には、その入力データを付加部５へ送る。
【００２７】
マスク部４は、フィールド情報出力部２から出力されたフィールド情報に基づいて、入力データ振り分け部３から渡された入力データのＤａｔａフィールド、ＴＦＣＩフィールドおよびＰｉｌｏｔフィールドに対応する各データをマスクする処理を行う。これらのフィールドのデータをマスクするには、該当するフィールドのデータをオフにしてもよいし、該当するフィールドのデータを送信する際の送信電力を割り当てないようにしてもよい。マスク処理のされたデータは、付加部５へ送られる。
【００２８】
加算部６は、Ｆ−ＤＰＣＨのチップオフセット値を生成する。図１６に、Ｆ−ＤＰＣＨのチップオフセット値を示す。図１６に示すように、Ｆ−ＤＰＣＨのチップオフセット値は、スロットフォーマット番号にチップオフセット設定（設定：０〜９）を加算し、その結果にさらに１を加算し、その結果が１０以上の数であれば１０を減算することにより求められる。加算部６で生成されたチップオフセット値は、オフセット量選択部７へ送られる。
【００２９】
オフセット量選択部７は、チャネル種別がＦ−ＤＰＣＨである場合、加算部６で生成されたチップオフセット値を付加部５へ送る。一方、オフセット量選択部７は、チャネル種別がＦ−ＤＰＣＨ以外である場合、チップオフセット値として、既存のチップオフセット設定をそのまま付加部５へ送る。
【００３０】
付加部５は、入力データ振り分け部３またはマスク部４から渡された入力データに、オフセット量選択部７から渡されたチップオフセット値を付加する。チップオフセット値が付加されたデータは、付加部５から図示しない後段のデータ処理ブロックへ出力される。前記フィールド情報出力部２は、スロットフォーマット振り分け部１１、個別チャネル変換部であるＤＰＣＨ変換部１２、Ｓ−ＣＣＰＣＨ変換部１３、生成部１４、速度決定部１５、テーブル１６、カウンタ１７、変換部１８およびフィールドデータ選択部１９を備えている。
【００３１】
スロットフォーマット振り分け部１１は、チャネル種別がＤＰＣＨまたはＦ−ＤＰＣＨ（以下、ＤＰＣＨ／Ｆ−ＤＰＣＨと表記する）である場合、スロットフォーマット番号をＤＰＣＨ変換部１２へ送る。また、スロットフォーマット振り分け部１１は、チャネル種別がＳ−ＣＣＰＣＨである場合、スロットフォーマット番号をＳ−ＣＣＰＣＨ変換部１３へ送る。さらに、スロットフォーマット振り分け部１１は、チャネル種別がＤＰＣＨ／Ｆ−ＤＰＣＨおよびＳ−ＣＣＰＣＨのいずれでもない場合、スロットフォーマット番号を生成部１４へ送る。
【００３２】
ＤＰＣＨ変換部１２は、スロットフォーマット振り分け部１１から渡されたスロットフォーマット番号を、図９に示す対応表に従って、ＤＰＣＨスロットフォーマットグループ番号に変換する。変換されたＤＰＣＨスロットフォーマットグループ番号は、ＤＰＣＨ変換部１２から生成部１４へ送られる。図９に示す対応表は、ＤＰＣＨ変換部１２に格納されている。
【００３３】
Ｓ−ＣＣＰＣＨ変換部１３は、スロットフォーマット振り分け部１１から渡されたスロットフォーマット番号を、図１２に示す対応表に従って、Ｓ−ＣＣＰＣＨスロットフォーマットグループ番号に変換する。変換されたＳ−ＣＣＰＣＨスロットフォーマットグループ番号は、Ｓ−ＣＣＰＣＨ変換部１３から生成部１４へ送られる。図１２に示す対応表は、Ｓ−ＣＣＰＣＨ変換部１３に格納されている。
【００３４】
生成部１４は、チャネル種別およびスロットフォーマット番号に基づいて、ＤＰＣＨ変換部１２から渡されたＤＰＣＨスロットフォーマットグループ番号、Ｓ−ＣＣＰＣＨ変換部１３から渡されたＳ−ＣＣＰＣＨスロットフォーマットグループ番号、またはスロットフォーマット振り分け部１１から渡されたスロットフォーマット番号を整理し、テーブル１６を格納するメモリをアクセスするためのアドレスを生成する。
【００３５】
速度決定部１５は、チャネル種別がＤＰＣＨ／Ｆ−ＤＰＣＨである場合、図２および図３に示す表に従って、スロットフォーマット番号に対応する処理速度（レート情報）を決定する。一方、速度決定部１５は、チャネル種別がＳ−ＣＣＰＣＨである場合、図１１に示す表に従って、スロットフォーマット番号に対応する処理速度を決定する。図２および図３、並びに図１１に示す表、あるいはそれら各表の全体ではなく、少なくとも各表のスロットフォーマット番号と処理速度との対応関係を表す表は、速度決定部１５に格納されている。
【００３６】
テーブル１６は、ＤＰＣＨスロットフォーマットグループごとに、またＳ−ＣＣＰＣＨスロットフォーマットグループごとに、フィールド情報を格納している。図１７に、テーブル１６のデータ構成の一部を示す。特に限定しないが、図１７に示す例では、スロットフォーマットグループ番号がアドレスになっている。この場合、生成部１４は、スロットフォーマットグループ番号と同じアドレスを生成する。速度決定部１５で決定された処理速度に基づいて、テーブル１６の、生成部１４で生成されたアドレスで特定される領域に格納されているフィールドデータが抜き出される。図１７に示すテーブル構成において、Ｄａｔａ１、Ｄａｔａ２、ＴＰＣ、ＴＦＣＩおよびＰｉｌｏｔの各フィールドには、２ビットのコード「００」、「０１」、「１０」または「１１」が格納される。
【００３７】
カウンタ１７は、１２ビットの２５６０進カウンタであり、１チップごとにインクリメントされ、２５６０チップ、すなわち１スロット分のチップ数をカウントすると初期値０に戻る。カウンタ１７の値は、変換部１８へ送られる。
【００３８】
変換部１８は、速度決定部１５で決定された処理速度に基づいて、カウンタ１７の値の下位ビットを切り捨てる。切り捨てる下位ビットのビット数によって、テーブル１６におけるシンボルの位置が決まる。図１８に、カウンタ１７の値と各処理速度におけるシンボルとの関係を示す。図１８に示すように、拡散率ＳＦが４、８、１６、３２、６４、１２８、２５６または５１２である場合には、それぞれ下位２ビット、下位３ビット、下位４ビット、下位５ビット、下位６ビット、下位７ビット、下位８ビットまたは下位９ビットを切り捨てることにより、カウンタ１７の値とシンボルとの対応関係が得られる。例えば、拡散率ＳＦが２５６である場合、０〜２５５チップが０シンボル目、２５６〜５１１チップが１シンボル目、・・・、２３０４〜２５５９チップが９シンボル目というように変換される。
【００３９】
フィールドデータ選択部１９は、テーブル１６から抜き出されたフィールドデータ（１２８ビット）の中から、０シンボル目、１シンボル目、２シンボル目というように、１シンボル分のフィールドデータ（２ビット）を順次選択する。その際、フィールドデータ選択部１９は、カウンタ１７の値の、変換部１８によって下位ビットが切り捨てられたあとに残る上位ビットに基づいて、該当する１シンボル分のフィールドデータを選択する。図１７に示すテーブル構成において、０シンボル目は、ビット［１：０］、１シンボル目はビット［３：２］、・・・というように対応する。これにより、望むシンボルでのフィールドデータを得ることができる。１シンボル分のフィールドデータは、順次、フィールド情報としてマスク部４へ送られる。
【００４０】
図１９は、実施の形態１にかかる無線通信方法の処理手順を示すフローチャートである。図１９に示すように、無線通信処理が開始されると、まず、スロットフォーマット振り分け部１１により、チャネル種別を判断し、チャネル種別に応じてスロットフォーマット番号を振り分ける（ステップＳ１）。チャネル種別がＤＰＣＨ／Ｆ−ＤＰＣＨである場合にはＤＰＣＨ変換部１２により、図９に示す対応表に従って、またチャネル種別がＳ−ＣＣＰＣＨである場合にはＳ−ＣＣＰＣＨ変換部１３により、図１２に示す対応表に従って、それぞれスロットフォーマット番号をスロットフォーマットグループ番号に変換する（ステップＳ２）。ステップＳ１でチャネル種別がその他（ＤＰＣＨ／Ｆ−ＤＰＣＨおよびＳ−ＣＣＰＣＨ以外）である場合には、次のステップＳ３へ進む。
【００４１】
次いで、生成部１４により、ＤＰＣＨまたはＳ−ＣＣＰＣＨのスロットフォーマットグループ番号、およびステップＳ１でその他であるとされたチャネル種別を整理し、テーブル１６をアクセスするためのアドレスを生成する（ステップＳ３）。次いで、速度決定部１５により、チャネル種別およびスロットフォーマット番号に基づいて、図２、図３および図１１に示す表から処理速度（レート情報）を求める。その処理速度でテーブル１６からフィールドデータを抜き出す。そして、処理速度に応じてカウンタ１７の値の下位ビットを切り捨て、残りの上位ビットに基づいて、テーブル１６から抜き出されたフィールドデータの１シンボル分のフィールドデータを選択する（ステップＳ４）。
【００４２】
次いで、入力データ振り分け部３により、入力データのチャネル種別を判断し、チャネル種別に応じて入力データを振り分ける（ステップＳ５）。チャネル種別がＦ−ＤＰＣＨである場合には、マスク部４により、ステップＳ４で決定されたフィールド情報に基づいてＤａｔａ、ＴＦＣＩおよびＰｉｌｏｔの各フィールドデータに対してマスク処理を行う（ステップＳ６）。また、加算部６により、スロットフォーマット番号にチップオフセット設定を加算し、それにさらに１を加算し、その結果が１０以上の数になる場合にはその数から１０を減算して、図１６に示すチップオフセット値を求める。そして、オフセット量選択部７により、その求められた値を選択する（ステップＳ７）。
【００４３】
一方、ステップＳ５でチャネル種別が、Ｆ−ＤＰＣＨ以外である場合には、オフセット量選択部７により、そのチャネル種別に応じた既存のチップオフセット設定を選択する（ステップＳ８）。そして、付加部５により、オフセット量選択部７により選択されたオフセット値を入力データに付加する（ステップＳ９）。このようにして、後段の処理ブロックへ出力されるデータができ上がり、スロットフォーマット処理が終了する。
【００４４】
後段の処理ブロックは、例えばスロットフォーマット処理装置１が無線通信装置である場合、スロットフォーマット処理装置１の出力データに対して拡散および変調を行う。スロットフォーマット処理装置を備えた無線通信装置の構成を説明する。
【００４５】
図２０は、無線通信装置の全体の構成を示す説明図である。図２０に示すように、無線通信装置１００は、スロットフォーマット処理部１０１、拡散・変調部１０２、送信ダイバシチ処理部１０３および多重部１０４を備えている。上述したスロットフォーマット処理装置１は、スロットフォーマット処理部１０１に用いられる。拡散・変調部１０２には、ＤＰＣＨ、Ｆ−ＤＰＣＨおよびＳ−ＣＣＰＣＨ以外にも、種々のチャネルのスロットフォーマットを処理する処理部（図示省略）が接続される。各チャネルのスロットフォーマット処理部から出力されたデータは、拡散・変調部１０２により拡散および変調処理され、送信ダイバシチ処理部１０３によりダイバシチ処理され、多重部１０４により多重されて送信用のデータとして出力される。
【００４６】
実施の形態１によれば、スロットフォーマット処理装置１は、ＤＰＣＨのスロットフォーマットとＦ−ＤＰＣＨのスロットフォーマットの両方を処理することができるので、３ＧＰＰのリリース６やリリース７のＦ−ＤＰＣＨに対応するために、新たにＦ−ＤＰＣＨスロットフォーマットを処理する専用の装置を設けずに済む。従って、ＤＰＣＨスロットフォーマット処理装置とＦ−ＤＰＣＨスロットフォーマット処理装置とを別々に設ける場合と比べて、回路規模の増大を防ぐことができる。また、回路規模の増大を防ぐことによって、消費電力の増大や発熱量の増大を防ぐことができる。さらに、スロットフォーマットのグループ化によってＤＰＣＨおよびＳ−ＣＣＰＣＨのそれぞれのスロットフォーマット数を減らすことができるので、より一層、回路規模の増大を防ぐことができ消費電力の増大や発熱量の増大を防ぐことができる。
【００４７】
（実施の形態２）
図２１は、実施の形態２にかかる無線通信装置の構成を示す説明図である。図２１に示すように、実施の形態２の無線通信装置が実施の形態１と異なるのは、スロットフォーマット処理装置５１において、フィールド情報出力部５２がスロットフォーマットのフィールド情報の組み立て処理を１６チップ単位で行うことである。従って、フィールド情報出力部５２において、カウンタ６７の構成、生成部６４でのアドレスの生成の仕方、テーブル６６のデータ構成、およびフィールドデータ選択部６９でのフィールドデータの選択の仕方が実施の形態１と異なる。その他の構成は、実施の形態１と同様である。実施の形態１と同様の構成については、実施の形態１と同じ符号を付して説明を省略する。
【００４８】
カウンタ６７は、８ビットの１６０進カウンタであり、無線フレームの基準タイミングに同期してカウント動作を開始し、１６チップごとにインクリメントされる。従って、カウンタ６７は、１スロット分の２５６０チップで初期値０に戻る。カウンタ６７の値のうち、上位３ビット（［７：５］）が生成部６４へ送られ、下位５ビット（［４：０］）がフィールドデータ選択部６９へ送られる。
【００４９】
生成部６４は、チャネル種別、スロットフォーマット番号およびカウンタ６７の値の上位３ビット（［７：５］）に基づいて、ＤＰＣＨ変換部１２から渡されたＤＰＣＨスロットフォーマットグループ番号、Ｓ−ＣＣＰＣＨ変換部１３から渡されたＳ−ＣＣＰＣＨスロットフォーマットグループ番号、またはスロットフォーマット振り分け部１１から渡されたスロットフォーマット番号を整理し、テーブル６６を格納するメモリをアクセスするためのアドレスを生成する。生成部６４は、ＤＰＣＨスロットフォーマットグループごと、またＳ−ＣＣＰＣＨスロットフォーマットグループごとに、アドレスを生成する。例えば、ＤＰＣＨスロットフォーマット番号が１である場合、生成部６４は、ＤＰＣＨスロットフォーマット＃１Ｂと同じスロットフォーマットグループ＃２（図９参照）としてアドレスを生成し、テーブル６６に対してアクセスする。
【００５０】
テーブル６６は、ＤＰＣＨスロットフォーマットグループごとに、またＳ−ＣＣＰＣＨスロットフォーマットグループごとに、フィールド情報を格納している。図２２に、テーブル６６のデータ構成の一部を示す。特に限定しないが、図２２に示す例では、カウンタ６７の値の上位３ビット（［７：５］）は、アドレスの一部を構成しており、各スロットフォーマットグループにおいて０〜４の各行を指定する。この各行には、例えば０〜３１の３２個のフィールドが設けられている。
【００５１】
フィールドデータ選択部６９は、カウンタ６７の値の下位５ビット（［４：０］）に基づいて、テーブル６６の、アドレスにより指定された行のフィールドを選択する。例えば、チャネル種別がＤＰＣＨであり、スロットフォーマット番号が１であり、カウンタ６７の値が０である場合、図２２において、スロットフォーマット番号が１および１Ｂのグループのカウンタ６７の値の上位３ビット（［７：５］）が０であり、カウンタ６７の値の下位５ビット（［４：０］）の値が０であるシンボルのＴＰＣフィールドが選択される。また、チャネル種別がＤＰＣＨであり、スロットフォーマット番号が１であり、カウンタ６７の値が１４０である場合、図２２において、スロットフォーマット番号が１および１Ｂのグループのカウンタ６７の値の上位３ビット（［７：５］）が４であり、カウンタ６７の値の下位５ビット（［４：０］）の値が１２であるシンボルのＰｉｌｏｔフィールドが選択される。このようにして、望むシンボルでのフィールドデータを得ることができる。１シンボル分のフィールドデータは、順次、フィールド情報としてマスク部４へ送られる。
【００５２】
図２２に示す例では、テーブル６６において、ＴＰＣ、Ｄａｔａ、ＴＦＣＩおよびＰｉｌｏｔの各フィールドが２ビットで構成されているので、カウンタ６７の値が０であるときのビットの割り当てが［１：０］となり、カウンタ６７の値が１であるときのビットの割り当てが［３：２］となる。従って、フィールドデータ選択部６９は、テーブル６６の最下位ビットを切り取り、カウンタ６７の下位５ビットと比較することによって、カウンタ６７の上位３ビット（［７：５］）の値により指定される行のフィールドデータ（６４ビット）の中から、望むシンボルでのフィールドデータ（２ビット）を選択することができる。例えば、テーブル６６の下位ビットが「・・・０００１００」または「・・・０００１０１」である場合、それらの最下位ビットを切り取った「・・・０００１０」は、カウンタ６７の下位５ビットの値が２であるフィールドに該当する。
【００５３】
図２３は、実施の形態２にかかる無線通信方法の処理手順を示すフローチャートである。図２３に示すように、無線通信処理が開始されると、まず、実施の形態１のステップＳ１およびステップＳ２と同様に、チャネル種別に応じてスロットフォーマット番号を振り分け（ステップＳ２１）、ＤＰＣＨ／Ｆ−ＤＰＣＨまたはＳ−ＣＣＰＣＨのスロットフォーマット番号をスロットフォーマットグループ番号に変換する（ステップＳ２２）。
【００５４】
次いで、生成部６４により、ＤＰＣＨまたはＳ−ＣＣＰＣＨのスロットフォーマットグループ番号、およびステップＳ２１でその他（ＤＰＣＨ／Ｆ−ＤＰＣＨおよびＳ−ＣＣＰＣＨ以外）であるとされたチャネル種別を整理し、カウンタ６７の上位３ビット（［７：５］）の値に基づいて、テーブル６６をアクセスするためのアドレスを生成する（ステップＳ２３）。次いで、生成されたアドレスに基づいてテーブル６６にアクセスし、フィールドデータ選択部６９により、カウンタ６７の下位５ビット（［４：０］）の値に基づいて、テーブル６６に格納されているフィールドデータの１シンボル分のビットを選択する（ステップＳ２４）。
【００５５】
次いで、実施の形態１のステップＳ５〜ステップＳ９と同様に、チャネル種別に応じて入力データを振り分け（ステップＳ２５）、チャネル種別がＦ−ＤＰＣＨである場合には、Ｄａｔａ、ＴＦＣＩおよびＰｉｌｏｔの各フィールドデータに対してマスク処理を行う（ステップＳ２６）。また、スロットフォーマット番号とチップオフセット設定に基づいて図１６に示すチップオフセット値を求め、その値をチャネル種別がＦ−ＤＰＣＨである場合のチップオフセット値として選択する（ステップＳ２７）。一方、チャネル種別がＦ−ＤＰＣＨ以外である場合には、既存のチップオフセット設定を選択する（ステップＳ２８）。次いで、選択されたオフセット値を入力データに付加して（ステップＳ２９）、スロットフォーマット処理を終了する。
【００５６】
実施の形態２によれば、実施の形態１と同様の効果に加えて、フィールド情報の組み立て処理を１６チップ単位で行うことにより、ＤＰＣＨやＳ−ＣＣＰＣＨのスロットフォーマットごとに専用の回路を設ける必要がないので、回路規模を削減することができる。また、ＤＰＣＨやＳ−ＣＣＰＣＨのスロットフォーマット処理を簡素化することができる。例えば、スロットフォーマットごとで、かつシンボル単位で無線フレームの組み立て処理を行う場合、図２および図３、図１１、並びに前記（１）式および前記（２）式より、ＤＰＣＨでは４２７５シンボル分のフィールド情報が必要であり、Ｓ−ＣＣＰＣＨでは３２３０シンボル分のフィールド情報が必要となる。従って、テーブル６６には、それらの合計で７５０５シンボル分のフィールド情報が必要となる。さらに処理速度ごとにシンボルカウンタが必要となるため、回路が複雑となる。それに対して、実施の形態２では、１６０進のカウンタ６７を設けるだけでよい。また、上述したように、１つのスロットフォーマットグループが１６０シンボルで構成され、ＤＰＣＨとＳ−ＣＣＰＣＨを合わせてスロットフォーマットグループが４３種類あるので、テーブル６６には、全部で６８８０シンボル分のフィールド情報があればよい。従って、容易に回路を簡素化することができる。
【００５７】
なお、実施の形態１または２において、種々の設定値は一例であり、それ以外の値でもよい。また、実施の形態１において、ＤＰＣＨスロットフォーマットを用いてＦ−ＤＰＣＨスロットフォーマットを処理する構成と、ＤＰＣＨスロットフォーマットやＳ−ＣＣＰＣＨのスロットフォーマットをグループ化してスロットフォーマットの種類を削減する構成の両方が設けられている必要はなく、いずれか一方の構成のみが設けられていてもよい。また、実施の形態２において、ＤＰＣＨスロットフォーマットを用いてＦ−ＤＰＣＨスロットフォーマットを処理する構成と、ＤＰＣＨスロットフォーマットやＳ−ＣＣＰＣＨのスロットフォーマットをグループ化してスロットフォーマットの種類を削減する構成と、ＤＰＣＨスロットフォーマットやＳ−ＣＣＰＣＨのスロットフォーマットを１６チップ単位で処理する構成の全てが設けられている必要はなく、いずれか一つまたは二つの構成のみが設けられていてもよい。
【００５８】
上述した実施の形態に関し、さらに以下の付記を開示する。
【００５９】
（付記１）複数の個別チャネルのスロットフォーマットのフィールド情報を有するテーブルと、チャネル種別が移動局宛ての送信電力制御情報のみを送信するチャネルであるときに、該移動局宛ての送信電力制御情報のみを送信するチャネルのスロットフォーマット番号に基づいて前記テーブルから選択された所定の個別チャネルのスロットフォーマットの各フィールドのうち、前記移動局宛ての送信電力制御情報のみを送信するチャネルのスロットフォーマットの未使用フィールドに対応するデータをマスクするマスク部と、を備えることを特徴とする無線通信装置。
【００６０】
（付記２）前記マスク部は、マスク対象フィールドのデータをオフにすることを特徴とする付記１に記載の無線通信装置。
【００６１】
（付記３）前記マスク部は、マスク対象フィールドのデータに送信電力を割り当てないことを特徴とする付記１に記載の無線通信装置。
【００６２】
（付記４）前記テーブルから選択された所定の前記個別チャネルのスロットフォーマットにオフセットを付加する付加部、をさらに備えることを特徴とする付記１〜３のいずれか一つに記載の無線通信装置。
【００６３】
（付記５）前記テーブルは、前記個別チャネルのスロットフォーマットのフィールド情報として、処理速度およびフィールド情報に基づいてグループ化された個別チャネルのスロットフォーマットグループのフィールド情報を有し、前記個別チャネルのスロットフォーマットを、その処理速度およびフィールド情報に基づいて前記個別チャネルのスロットフォーマットグループに変換する個別チャネル変換部、をさらに備えることを特徴とする付記１〜４のいずれか一つに記載の無線通信装置。
【００６４】
（付記６）前記テーブルは、基地局から移動局への下り方向の共通チャネルのスロットフォーマットのフィールド情報として、処理速度およびフィールド情報に基づいてグループ化された基地局から移動局への下り方向の共通チャネルのスロットフォーマットグループのフィールド情報をさらに有し、前記基地局から移動局への下り方向の共通チャネルのスロットフォーマットを、その処理速度およびフィールド情報に基づいて前記基地局から移動局への下り方向の共通チャネルのスロットフォーマットグループに変換する共通チャネル変換部、をさらに備えることを特徴とする付記５に記載の無線通信装置。
【００６５】
（付記７）前記テーブルは、１６チップ単位で前記フィールド情報を有することを特徴とする付記１〜６のいずれか一つに記載の無線通信装置。
【００６６】
（付記８）チャネル種別が移動局宛ての送信電力制御情報のみを送信するチャネルであるときに、該移動局宛ての送信電力制御情報のみを送信するチャネルのスロットフォーマット番号に基づいて所定の個別チャネルのスロットフォーマットのフィールド情報を選択する第１ステップと、前記第１ステップで選択された前記フィールド情報の各フィールドのうち、前記移動局宛ての送信電力制御情報のみを送信するチャネルのスロットフォーマットの未使用フィールドに対応するデータをマスクする第２ステップと、を含むことを特徴とする無線通信方法。
【００６７】
（付記９）前記第２ステップでは、マスク対象フィールドのデータをオフにすることを特徴とする付記８に記載の無線通信方法。
【００６８】
（付記１０）前記第２ステップでは、マスク対象フィールドのデータに送信電力を割り当てないことを特徴とする付記８に記載の無線通信方法。
【００６９】
（付記１１）前記第２ステップの後に、所定の前記個別チャネルのスロットフォーマットにオフセットを付加する第３ステップ、をさらに含むことを特徴とする付記８〜１０のいずれか一つに記載の無線通信方法。
【００７０】
（付記１２）前記個別チャネルのスロットフォーマットは、処理速度およびフィールド情報に基づいて予め個別チャネルのスロットフォーマットグループにグループ化されており、前記第１ステップでは、前記個別チャネルのスロットフォーマットを、その処理速度およびフィールド情報に基づいて前記個別チャネルのスロットフォーマットグループに変換し、変換された前記個別チャネルのスロットフォーマットグループのフィールド情報を選択することを特徴とする付記８〜１１のいずれか一つに記載の無線通信方法。
【００７１】
（付記１３）基地局から移動局への下り方向の共通チャネルのスロットフォーマットは、処理速度およびフィールド情報に基づいて予め基地局から移動局への下り方向の共通チャネルのスロットフォーマットグループにグループ化されており、前記第１ステップでは、チャネル種別が基地局から移動局への下り方向の共通チャネルであるときに基地局から移動局への下り方向の共通チャネルのスロットフォーマットを、その処理速度およびフィールド情報に基づいて前記基地局から移動局への下り方向の共通チャネルのスロットフォーマットグループに変換し、変換された前記基地局から移動局への下り方向の共通チャネルのスロットフォーマットグループのフィールド情報を用いて前記基地局から移動局への下り方向の共通チャネルのスロットフォーマットを構成することを特徴とする付記８〜１２のいずれか一つに記載の無線通信方法。
【００７２】
（付記１４）１６チップ単位で前記フィールド情報を構成することを特徴とする付記８〜１３のいずれか一つに記載の無線通信方法。
【図面の簡単な説明】
【００７３】
【図１】ＤＰＣＨスロットフォーマットを示す説明図である。
【図２】ＤＰＣＨスロットフォーマットのフィールド情報の一覧を示す説明図である。
【図３】ＤＰＣＨスロットフォーマットのフィールド情報の一覧を示す説明図である。
【図４】Ｆ−ＤＰＣＨスロットフォーマットを示す説明図である。
【図５】Ｆ−ＤＰＣＨスロットフォーマットのフィールド情報の一覧を示す説明図である。
【図６】ＤＰＣＨスロットフォーマット＃２とＦ−ＤＰＣＨスロットフォーマット＃０との比較を示す説明図である。
【図７】３ＧＰＰリリース７におけるＦ−ＤＰＣＨスロットフォーマットを示す説明図である。
【図８】ＤＰＣＨスロットフォーマット＃２にオフセットを付加したスロットフォーマットを示す説明図である。
【図９】ＤＰＣＨスロットフォーマットグループを示す説明図である。
【図１０】Ｓ−ＣＣＰＣＨスロットフォーマットを示す説明図である。
【図１１】Ｓ−ＣＣＰＣＨスロットフォーマットのフィールド情報の一覧を示す説明図である。
【図１２】Ｓ−ＣＣＰＣＨスロットフォーマットグループを示す説明図である。
【図１３】ＳＦ４またはＳＦ８のＤＰＣＨスロットフォーマットのチップ数を示す説明図である。
【図１４】ＳＦ４またはＳＦ８のＳ−ＣＣＰＣＨスロットフォーマットのチップ数を示す説明図である。
【図１５】実施の形態１にかかる無線通信装置の構成を示す説明図である。
【図１６】Ｆ−ＤＰＣＨのチップオフセット値を示す説明図である。
【図１７】実施の形態１におけるテーブルのデータ構成を示す説明図である。
【図１８】実施の形態１におけるカウンタ値とシンボルとの関係を示す説明図である。
【図１９】実施の形態１にかかる無線通信方法の処理手順を示すフローチャートである。
【図２０】実施の形態１にかかる無線通信装置の全体の構成を示す説明図である。
【図２１】実施の形態２にかかる無線通信装置の構成を示す説明図である。
【図２２】実施の形態２におけるテーブルのデータ構成を示す説明図である。
【図２３】実施の形態２にかかる無線通信方法の処理手順を示すフローチャートである。
【符号の説明】
【００７４】
１，５１  スロットフォーマット処理装置
４  マスク部
５  付加部
１２  ＤＰＣＨ変換部
１３  Ｓ−ＣＣＰＣＨ変換部
１６，６６  テーブル
１００  無線通信装置
【図１】
2010074613.tif 000003
【図２】
2010074613.tif 000004
【図３】
2010074613.tif 000005
【図４】
2010074613.tif 000006
【図５】
2010074613.tif 000007
【図６】
2010074613.tif 000008
【図７】
2010074613.tif 000009
【図８】
2010074613.tif 000010
【図９】
2010074613.tif 000011
【図１０】
2010074613.tif 000012
【図１１】
2010074613.tif 000013
【図１２】
2010074613.tif 000014
【図１３】
2010074613.tif 000015
【図１４】
2010074613.tif 000016
【図１５】
2010074613.tif 000017
【図１６】
2010074613.tif 000018
【図１７】
2010074613.tif 000019
【図１８】
2010074613.tif 000020
【図１９】
2010074613.tif 000021
【図２０】
2010074613.tif 000022
【図２１】
2010074613.tif 000023
【図２２】
2010074613.tif 000024
【図２３】
2010074613.tif 000025